(57)【要約】【課題】必要とする形状保持性能を充分に備え、重量が重くならずに、比較的低コストで製作することができる遊技機の外枠を提供する。【解決手段】外枠１の上辺枠２、下辺枠５、左側辺枠４が木製板により形成され、右側辺枠３が金属板により形成される。右側辺枠３の上部が上辺枠２の右端に固定ねじにより固定され、右側辺枠３の下部が下辺枠５の右端に固定ねじにより固定される。【選択図】図１
2007167422.tif 000002
【特許請求の範囲】
【請求項１】
上辺枠、下辺枠、左側辺枠、及び右側辺枠を方形形状に組付けて形成されてなる遊技機の外枠において、
該上辺枠、下辺枠、及び左側辺枠が木製板により形成され、該右側辺枠が金属板により形成され、該右側辺枠の上部が該上辺枠の右端に固定ねじにより固定され、該右側辺枠の下部が該下辺枠の右端に固定ねじにより固定されたことを特徴とする遊技機の外枠。
【請求項２】
前記金属の右側辺枠の上端部と下端部が略直角に左側に曲折され、該曲折された上端部と下端部にねじ孔が穿設され、固定ねじを該ねじ孔に挿通して該右側辺枠の該上端部と下端部が該上辺枠と下辺枠の右端に固定されたことを特徴とする請求項１記載の遊技機の外枠。
【請求項３】
前記右側辺枠の背面側に、該右側辺枠から背面側に略直角に曲折するように背面補強板を延設され、該背面補強板の上部と下部が該右側辺枠の該上端部と下端部に一体的に連続するように構成されたことを特徴とする請求項２記載の遊技機の外枠。
【請求項４】
上辺枠、下辺枠、左側辺枠、及び右側辺枠を方形形状に組付けて形成されてなる遊技機の外枠において、
該上辺枠及び下辺枠が木製板により形成され、該右側辺枠及び左側辺枠が金属板により形成され、該右側辺枠の上部が該上辺枠の右端に固定ねじにより固定され、該右側辺枠の下部が該下辺枠の右端に固定ねじにより固定され、該左側辺枠の上部が該上辺枠の左端に固定ねじにより固定され、該左側辺枠の下部が該下辺枠の左端に固定ねじにより固定されたことを特徴とする遊技機の外枠。
【発明の詳細な説明】
【技術分野】
【０００１】
本発明は、パチンコ機などの遊技機の外枠に関し、特に右側辺枠、または右側辺枠と左側辺枠を金属板により形成した遊技機の外枠に関する。
【背景技術】
【０００２】
従来、パチンコ機などの遊技機の外枠は、通常、下辺部、左右の側辺部、上辺部共に、全て木製の板で形成されている。
【０００３】
外枠を木製とした遊技機を廃棄処分する場合、一度使用した木製の外枠は、再利用が不可能であるため、外枠を分解して金具類を外した後、木部は焼却処分することになる。このため、パチンコ機の外枠はその殆どの部分で、リサイクルすることができないという課題があった。
【０００４】
そこで、従来、下記特許文献１により、外枠の下辺部、左右の側辺部、上辺部共に、全て金属製としたパチンコ遊技機用外枠が提案された。このパチンコ遊技機用外枠は、方形枠状に形成された外枠の全てが、金属製の枠により形成され、前面枠を開閉可能に軸着するための軸支部が設けられると共に、前面枠に設けた施錠装置の鉤部が係止される係止部が枠の内側に一体に設けられて構成されている。
【特許文献１】特開２０００−１５３０４６号公報
【発明の開示】
【発明が解決しようとする課題】
【０００５】
しかしながら、この種の全ての枠部を金属製とした遊技機用外枠は、必要な強度を有した形状に製作した場合、外枠の重量が非常に重くなり、さらに、製造コストが増大する課題があった。
【０００６】
一方、従来では、外枠を合成樹脂により形成したパチンコ機用外枠も提案されているが、合成樹脂製の外枠は、強度が不足して、それのみでは形状の保持性が低いため、合成樹脂製下辺部、左右の合成樹脂製側辺部、及び合成樹脂製上辺部の内側に、補強金属板を固定して補強している。さらに、合成樹脂製外枠の下辺部と左右の側辺部の角部、及び左右の側辺部と上辺部の角部にも、補強金具を固定して補強する必要があった。このため、結果的に、木製の外枠に比べ、製造の際の部品点数、作業工数が増大し、それにより、製造コストも非常に高くなると課題があった。
【０００７】
本発明は、上述の課題を解決するものであり、必要とする形状保持性能を充分に備え、重量が重くならずに、比較的低コストで製作することができる遊技機の外枠を提供することを目的とする。
【課題を解決するための手段】
【０００８】
上記の目的を達成するために、本発明の請求項１の遊技機の外枠は、上辺枠、下辺枠、左側辺枠、及び右側辺枠を方形形状に組付けて形成されてなる遊技機の外枠において、該上辺枠、下辺枠、左側辺枠が木製板により形成され、該右側辺枠が金属板により形成され、該右側辺枠の上部が該上辺枠の右端に固定ねじにより固定され、該右側辺枠の下部が該下辺枠の右端に固定ねじにより固定されたことを特徴とする。なお、ここで、右側辺枠とは外枠の正面視で右側に位置する枠であり、左側辺枠とは外枠の正面視で左側に位置する枠である。
【０００９】
ここで、請求項２のように、上記金属板で形成された右側辺枠の上端部と下端部が略直角に左側に曲折され、該曲折された上端部と下端部にねじ孔が穿設され、上記固定ねじを該ねじ孔に挿通して、右側辺枠を該上辺枠と下辺枠の右端に固定することができる。
【００１０】
また、請求項３のように、上記右側辺枠の背面側に、該右側辺枠から背面側に略直角に曲折するように背面補強板を延設すると共に、該背面補強板の上部と下部が該右側辺枠の該上端部と下端部に一体的に連続するように構成することができる。
【００１１】
また、請求項４の遊技機の外枠は、上辺枠、下辺枠、左側辺枠、及び右側辺枠を方形形状に組付けて形成されてなる遊技機の外枠において、該上辺枠及び下辺枠が木製板により形成され、該右側辺枠及び左側辺枠が金属板により形成され、該右側辺枠の上部が該上辺枠の右端に固定ねじにより固定され、該右側辺枠の下部が該下辺枠の右端に固定ねじにより固定され、該左側辺枠の上部が該上辺枠の左端に固定ねじにより固定され、該左側辺枠の下部が該下辺枠の左端に固定ねじにより固定されたことを特徴とする。
【発明の効果】
【００１２】
上記構成の遊技機の外枠によれば、全ての枠を金属製とした外枠に比べ、形状保持に必要な強度を持たせながら、外枠の重量をより軽くし、製造コストも低減することができる。さらに、全ての枠を木製板により形成した外枠に比べ、角部などに固定していた補強金具を不要とすることができ、さらに外枠を廃棄処理する際、リサイクル可能な部分を増やすことができる。また、木製板の枠に比べ、右側辺枠の厚さを薄くすることができるため、それにより、外枠内部の容積を増大させ、内部に収納する機器の収納スペースを大きくすることができる。
【００１３】
また、請求項２のように、金属の右側辺枠の上端部と下端部を略直角に左側に曲折して形成し、曲折された上端部と下端部に固定ねじを挿通して、右側辺枠を上辺枠と下辺枠の右端に固定して組み付けるようすれば、角部に補強金具を固定せずに必要な形状保持強度を持たせることができる。
【００１４】
さらに、請求項３のように、右側辺枠の背面側に、背面補強板を一体的に連続して設けた構造とすれば、右側辺枠の強度をより向上させることができる。
【発明を実施するための最良の形態】
【００１５】
以下、本発明の一実施形態を図面に基づいて説明する。図１はパチンコ遊技機の外枠１の正面図を示し、図２はその右側面図を示し、図３はその平面図を示している。
【００１６】
この外枠１は、上辺枠２、下辺枠５、左側辺枠４、及び右側辺枠３を方形形状に組付けて形成される。上辺枠２、下辺枠５、左側辺枠４は、木製板により形成され、右側辺枠３は、金属板により形成されている。なお、ここで、右側・左側は、外枠の正面に向かって（正面視で）右左を意味する。
【００１７】
下辺枠５の内側には木製板からなる下当板７が固定されている。左側辺枠４の上部は上辺枠２の端部に直角に当て、図示しない固定ねじにより固定される。また、左側辺枠４の下部は下辺枠５の端部に直角に当て、図示しない固定ねじにより固定されている。
【００１８】
金属製の右側辺枠３は、例えば、厚さ約４ｍｍ、幅約７０ｍｍの帯状鋼板を所定の長さに裁断し、上端部３ａと下端部３ｂを直角に曲折して形成されている。上端部３ａと下端部３ｂは、上辺枠２と下辺枠５の端部に接続固定される部分であり、約５０ｍｍの長さを有し、複数の固定孔が穿設される。
【００１９】
右側辺枠３の上端部３ａと下端部３ｂが固定される上辺枠２と下辺枠５の端部には、その上端部３ａと下端部３ｂが嵌め込まれる厚さの凹部が形成されており、その端部に上端部３ａと下端部３ｂが嵌め込まれ、上端部３ａと下端部３ｂに設けた固定孔に固定ねじをねじ込み、右側辺枠３は固定される。固定ねじに木ねじを使用した場合、上辺枠２と下辺枠５の木部に木ねじをねじ込み固定するが、ボルト・ナットを固定ねじとして使用することもでき、その場合、木部の両側からボルト・ナットにより締め付け固定することにより、より高い強度で固定することができる。
【００２０】
このように構成された外枠１には、その正面視で左上の角部と左下の角部に、着脱式のヒンジが取り付けられ、そのヒンジを介して前面枠が外枠１の正面側に開閉可能に取り付けられる。そして、前面枠の内側に、施錠装置が取り付けられ、外枠１の右側辺枠３の内側には、その施錠装置の鉤部に対応した位置に、図示しない受け金具が固定される。
【００２１】
パチンコ遊技機の前面枠には、通常、遊技盤、遊技球送球装置、賞球払出装置、表示装置など、多くの機械部品や電気機器が取り付けられ、前面枠は非常に重量が重くなり、その重量がヒンジを介して外枠１に印加され、外枠１にはその方形形状の枠を変形させる力が加わる。
【００２２】
しかしながら、本外枠１において、右側辺枠３として使用される厚さ約４ｍｍ、幅約７０ｍｍの鋼板は、それ自体が上記荷重を保持するための充分な強度を有し、少しも変形することなく、外枠の形状を保持することができる。特に、右側辺枠３の上端部３ａと下端部３ｂが直角に曲折されて、上辺枠２の上面端部と下辺枠５の下面端部に強固に接続固定されるため、外枠１を変形させる変形荷重は上端部３ａと下端部３ｂの角部にかかるところ、その角部は金属板の曲折により大きな強度を有しており、外枠１は、少しも変形することなく、その方形形状を保持することができる。
【００２３】
また、全ての枠を金属製とした外枠に比べ、形状保持に必要な強度を持たせながら、外枠１の重量をより軽くし、製造コストも低減することができる。さらに、全ての枠を木製板により形成した外枠に比べ、角部などに固定していた補強金具を不要とすることができ、さらに外枠１を廃棄処理する際、リサイクル可能な部分を増やすことができる。また、木製板の枠に比べ、右側辺枠３の厚さを薄くすることができるため、それにより、外枠内部の容積を増大させ、内部に収納する機器の収納スペースを大きくすることができる。
【００２４】
図５〜図７は、他の実施形態の右側辺枠３１の正面図及び左側面図を示している。この右側辺枠３１の本体部分は、上記と同様に、帯状鋼板を所定の長さに裁断し、上端部３１ａと下端部３１ｂを直角に曲折して形成されている。また、上端部３１ａと下端部３１ｂには、複数の固定孔が穿設される。
【００２５】
さらに、この右側辺枠３１の背面側には、右側辺枠３１から背面側に略直角に曲折するように背面補強板３２が延設されていると共に、背面補強板３２の上部と下部は、右側辺枠３１の上端部３１ａと下端部３１ｂに一体的に連続するように形成されている。また、右側辺枠３１の前縁部には、リブ状の隙間閉鎖板３３が僅かに前方に突出すように固定され、一体に突設されている。この隙間閉鎖板３３は、外枠１の前に開閉可能に取り付けられる前面枠が閉鎖されたとき、その自由端側の内側に進入し、外枠１と前面枠との間に生じやすい隙間を塞ぐように作用する。
【００２６】
この右側辺枠３１は、外枠１に組み付けられる際、上記と同様に、上辺枠２と下辺枠５の端部に設けた凹部に、両端の上端部３１ａと下端部３１ｂを嵌め込み、上端部３１ａと下端部３１ｂに設けた固定孔に固定ねじ（ボルト・ナットを含む）を挿入し、右側辺枠３１は組み付けられる。
【００２７】
この右側辺枠３１によれば、その背面側に、背面補強板３２を一体的に連続して設けているから、右側辺枠３１の変形強度は上記の右側辺枠３１より高くなり、それに伴い、同様な強度を発揮する右側辺枠としては、金属板の厚さを低減して、軽量化を図ることができる。このように、より変形強度の大きい右側辺枠３１を使用した外枠１は、それ自体の強度を高めることができる。
【００２８】
図８、図９は別の実施形態の外枠１０を示している。この外枠１０は、上辺枠１２及び下辺枠１５が木製板により形成され、右側辺枠１３及び左側辺枠１４が金属板により形成される。下辺枠１５の内側には木製板からなる下当板１７が固定されている。
【００２９】
右側辺枠１３は、上記と同様に、帯状鋼板を所定の長さに裁断して形成され、その上端部１３ａと下端部１３ｂが左側に直角に曲折して形成され、上端部１３ａと下端部１３ｂには、複数の固定孔が穿設される。さらに、左側辺枠１４は、帯状鋼板を所定の長さに裁断して形成され、その上端部１４ａと下端部１４ｂが右側に直角に曲折して形成され、上端部１４ａと下端部１４ｂには、複数の固定孔が穿設される。図８からわかるように、左側辺枠１４は、右側辺枠１３と対称形状となるため、右側辺枠１３と左側辺枠１４は同一の部材を共通して使用することができる。
【００３０】
右側辺枠１３の上端部１３ａと下端部１３ｂが固定される上辺枠１２と下辺枠１５の右端部には、その上端部１３ａと下端部１３ｂが嵌め込まれる厚さの凹部が形成されており、その端部に上端部１３ａと下端部１３ｂが嵌め込まれ、上端部１３ａと下端部１３ｂに設けた固定孔に固定ねじをねじ込み、右側辺枠１３は固定される。また、左側辺枠１４の上端部１４ａと下端部１４ｂが固定される上辺枠１２と下辺枠１５の左端部には、その上端部１４ａと下端部１４ｂが嵌め込まれる厚さの凹部が形成されており、その端部に上端部１４ａと下端部１４ｂが嵌め込まれ、上端部１４ａと下端部１４ｂに設けた固定孔に固定ねじをねじ込み、右側辺枠１４は固定される。これにより、図８、図９のような方形形状の外枠１０が形成される。
【００３１】
このように構成された外枠１０には、その正面視で左上の角部と左下の角部に、つまり左側辺枠１４の上端部１４ａと下端部１４ｂに着脱式のヒンジが取り付けられ、そのヒンジを介して前面枠が外枠１０の正面側に開閉可能に取り付けられる。そして、前面枠の内側に、施錠装置が取り付けられ、外枠１０の右側辺枠１３の内側には、その施錠装置の鉤部に対応した位置に、図示しない受け金具が固定される。
【００３２】
このような木製板の上辺枠１２と下辺枠１５を有し、金属製の右側辺枠１３と左側辺枠１４を有した外枠１０は、全て金属製とした外枠に比べ、形状保持に必要な強度を持たせながら、外枠１０の重量をより軽くし、製造コストも低減することができる。さらに、全ての枠を木製板により形成した外枠に比べ、角部などに固定していた補強金具を不要とすることができる。また、木製板の枠に比べ、右側辺枠１３と左側辺枠１４の厚さを薄くすることができるため、それにより、外枠内部の容積を増大させ、内部に収納する機器の収納スペースを大きくすることができる。
【００３３】
なお、右側辺枠１３と左側辺枠１４の背面側には、上記と同様に、その背面側に略直角に曲折するように背面補強板を延設すると共に、背面補強板の上部と下部は、右側辺枠１３の上端部１３ａと下端部１３ｂに、または左側辺枠１４の上端部１４ａと下端部１４ｂに、一体的に連続するように形成することができる。また、右側辺枠１３の前縁部には、リブ状の隙間閉鎖板を設けることができる。
【図面の簡単な説明】
【００３４】
【図１】本発明の一実施形態を示す遊技機の外枠の正面図である。
【図２】同外枠の右側面図である。
【図３】同外枠の平面図である。
【図４】同外枠の斜視図である。
【図５】他の実施形態の右側辺枠の正面図である。
【図６】同右側辺枠の左側面図である。
【図７】同右側辺枠の平面図である。
【図８】さらに別の実施形態の外枠の正面図である。
【図９】同外枠の斜視図である。
【符号の説明】
【００３５】
１  外枠
２  上辺枠
３  右側辺枠
４  左側辺枠
５  下辺枠
【図１】
2007167422.tif 000003
【図２】
2007167422.tif 000004
【図３】
2007167422.tif 000005
【図４】
2007167422.tif 000006
【図５】
2007167422.tif 000007
【図６】
2007167422.tif 000008
【図７】
2007167422.tif 000009
【図８】
2007167422.tif 000010
【図９】
2007167422.tif 000011